(57)【要約】【課題】フォトセンサーの個数を削減する。【解決手段】用紙給送部２００は、検出部６を備える。検出部６は、第１アクチュエーター６１と、第２アクチュエーター６２と、第３アクチュエーター６３と、フォトセンサー６４とを備える。第１アクチュエーター６１は、第１用紙Ｐ１又は第２用紙Ｐ２の接触に応じて回動する。第１用紙Ｐ１は、第１サイズＳ１を有する。第２用紙Ｐ２は、第１サイズＳ１よりも大きい第２サイズＳ２を有する。第２アクチュエーター６２は、第２用紙Ｐ２の接触に応じて回動する。第１用紙Ｐ１を送出する場合には、第１アクチュエーター６１の回動に応じて、第３アクチュエーター６３が回動してフォトセンサー６４の光路ＰＬを１回開放する。第２用紙Ｐ２を送出する場合には、第１アクチュエーター６１及び第２アクチュエーターＰ２の回動に応じて、第３アクチュエーター６３が回動してフォトセンサー６４の光路ＰＬを２回開放する。【選択図】図２
2019038685.tif 000002
【特許請求の範囲】
【請求項１】
第１アクチュエーターと、
第２アクチュエーターと、
フォトセンサーと、
互いにサイズの異なる複数の記録媒体を送出可能に構成された送出部と
を備え、
前記複数の記録媒体は、第１サイズを有する第１記録媒体と、前記第１サイズよりも大きい第２サイズを有する第２記録媒体とを含み、
前記第１アクチュエーターは、前記第１記録媒体又は前記第２記録媒体の接触に応じて回動し、
前記第２アクチュエーターは、前記第２記録媒体の接触に応じて回動し、
前記送出部が前記第１記録媒体を送出する場合には、前記第１アクチュエーターの回動に応じて、前記フォトセンサーの光路を１回遮断又は１回開放し、
前記送出部が前記第２記録媒体を送出する場合には、前記第１アクチュエーター及び前記第２アクチュエーターの回動に応じて、前記フォトセンサーの光路を２回遮断又は２回開放する、記録媒体給送装置。
【請求項２】
前記第１アクチュエーターは、前記第１記録媒体及び前記第２記録媒体が通過する領域に配置され、
前記第２アクチュエーターは、前記第１記録媒体が通過する領域の外側に配置され、且つ、前記第２記録媒体が通過する領域の内側に配置される、請求項１に記載の記録媒体給送装置。
【請求項３】
第３アクチュエーターを更に備え、
前記送出部が前記第１記録媒体を送出する場合には、前記第１アクチュエーターの回動に応じて、前記第３アクチュエーターが回動して前記フォトセンサーの光路を１回遮断又は１回開放し、
前記送出部が前記第２記録媒体を送出する場合には、前記第１アクチュエーター及び前記第２アクチュエーターの回動に応じて、前記第３アクチュエーターが回動して前記フォトセンサーの光路を２回遮断又は２回開放する、請求項１又は請求項２に記載の記録媒体給送装置。
【請求項４】
前記第２記録媒体を送出する場合に、
前記第１アクチュエーターの回動に応じて、前記第３アクチュエーターが前記光路を遮断又は開放する期間を示す第１期間と、
前記第２アクチュエーターの回動に応じて、前記第３アクチュエーターが前記光路を遮断又は開放する期間を示す第２期間との間には、所定期間以上の間隔がある、請求項３に記載の記録媒体給送装置。
【請求項５】
前記第１アクチュエーターは、
前記記録媒体が送出された時に、前記記録媒体に当接する第１当接部材と、
前記第１当接部材の基端を支持し、前記記録媒体の送出方向と直交する方向に延びる第１軸部材と、
前記第１軸部材の回動に応じて、前記第３アクチュエーターが回動するように前記第３アクチュエーターを押圧する第１押圧部材と
を備え、
前記第１当接部材の先端が前記記録媒体に当接すると、前記第１軸部材が回動し、
前記第１押圧部材が前記第３アクチュエーターを押圧すると前記第３アクチュエーターが、前記光路を遮断又は開放する、請求項３又は請求項４に記載の記録媒体給送装置。
【請求項６】
前記第２アクチュエーターは、
前記記録媒体が送出された時に、前記記録媒体に当接する第２当接部材と、
前記第２当接部材の基端を支持し、前記記録媒体の送出方向と直交する方向に延びる第２軸部材と、
前記第２軸部材の回動に応じて、前記第３アクチュエーターが回動するように前記第３アクチュエーターを押圧する第２押圧部材と
を備え、
前記第２当接部材の先端が前記記録媒体に当接すると、前記第２軸部材が回動し、
前記第２押圧部材が前記第３アクチュエーターを押圧すると前記第３アクチュエーターが、前記光路を遮断又は開放する、請求項５に記載の記録媒体給送装置。
【請求項７】
前記第３アクチュエーターは、
前記第１押圧部材又は前記第２押圧部材に押圧される第３押圧部材と、
前記第３押圧部材の基端を支持し、前記記録媒体の送出方向と直交する方向に延びる第３軸部材と、
前記第３軸部材の回動に応じて、前記光路を遮断又は開放する遮光部材と
を備える、請求項６に記載の記録媒体給送装置。
【請求項８】
複数の記録媒体に画像を形成する画像形成部と、
前記画像形成部に前記複数の記録媒体を給送する記録媒体給送装置と
を備え、
前記記録媒体給送装置は、
第１アクチュエーターと、
第２アクチュエーターと、
フォトセンサーと、
互いにサイズの異なる前記複数の記録媒体を送出可能に構成された送出部と
を備え、
前記複数の記録媒体は、第１サイズを有する第１記録媒体と、前記第１サイズよりも大きい第２サイズを有する第２記録媒体とを含み、
前記第１アクチュエーターは、前記第１記録媒体又は前記第２記録媒体の接触に応じて回動し、
前記第２アクチュエーターは、前記第２記録媒体の接触に応じて回動し、
前記送出部が前記第１記録媒体を送出する場合には、前記第１アクチュエーターの回動に応じて、前記フォトセンサーの光路を１回遮断又は１回開放し、
前記送出部が前記第２記録媒体を送出する場合には、前記第１アクチュエーター及び前記第２アクチュエーターの回動に応じて、前記フォトセンサーの光路を２回遮断又は２回開放する、画像形成装置。
【請求項９】
前記画像形成部の動作を制御する制御部を更に備え、
前記制御部は、
前記光路が１回遮断又は１回開放された場合に、前記記録媒体のサイズを前記第１サイズであると判定し、
前記光路が２回遮断又は２回開放された場合に、前記記録媒体のサイズを前記第２サイズであると判定する、請求項８に記載の画像形成装置。
【発明の詳細な説明】
【技術分野】
【０００１】
本発明は、記録媒体給送装置、及び画像形成装置に関する。
【背景技術】
【０００２】
特許文献１の画像形成装置は、用紙の幅方向に移動自在なスライダと、姿勢変化可能なアクチュエーターと、２つのフォトセンサーとを備える。２つのフォトセンサーは互いに用紙の幅方向にずれた光路を形成する。アクチュエーターが一方の光路を遮断するとき、第１シートサイズを検出する。アクチュエーターが他方の光路を遮断するとき、第１シートサイズと相違する第２シートサイズを検出する。アクチュエーターが２つの光路を遮断するとき、第１シートサイズ及び第２シートサイズと相違する第３シートサイズを検出する。
【先行技術文献】
【特許文献】
【０００３】
【特許文献１】特開平９−６７０２２号公報
【発明の概要】
【発明が解決しようとする課題】
【０００４】
しかしながら、特許文献１に記載の画像形成装置では、用紙サイズの個数に応じてフォトセンサーを配置する必要があるため、製造コストが増大する。
【０００５】
本発明は、上記課題に鑑みてなされたものであり、フォトセンサーの個数を削減することを目的としている。
【課題を解決するための手段】
【０００６】
本発明に係る記録媒体給送装置は、第１アクチュエーターと、第２アクチュエーターと、フォトセンサーと、送出部とを備える。前記送出部は、互いにサイズの異なる複数の記録媒体を送出可能に構成される。前記複数の記録媒体は、第１サイズを有する第１記録媒体と、第１サイズよりも大きい第２サイズを有する第２記録媒体とを含む。前記第１アクチュエーターは、前記第１記録媒体又は前記第２記録媒体の接触に応じて回動する。前記第２アクチュエーターは、前記第２記録媒体の接触に応じて回動する。前記送出部が前記第１記録媒体を送出する場合には、前記第１アクチュエーターの回動に応じて、前記フォトセンサーの光路を１回遮断又は１回開放する。前記送出部が前記第２記録媒体を送出する場合には、前記第１アクチュエーター及び前記第２アクチュエーターの回動に応じて、前記フォトセンサーの光路を２回遮断又は２回開放する。
【０００７】
本発明に係る画像形成装置は、画像形成部と、記録媒体給送装置とを備える。前記画像形成部は、複数の記録媒体に画像を形成する。前記記録媒体給送装置は、前記画像形成部に前記複数の記録媒体を給送する。前記記録媒体給送装置は、第１アクチュエーターと、第２アクチュエーターと、フォトセンサーと、送出部とを備える。前記送出部は、互いにサイズの異なる前記複数の記録媒体を送出可能に構成される。前記複数の記録媒体は、第１サイズを有する第１記録媒体と、第１サイズよりも大きい第２サイズを有する第２記録媒体とを含む。前記第１アクチュエーターは、前記第１記録媒体又は前記第２記録媒体の接触に応じて回動する。前記第２アクチュエーターは、前記第２記録媒体の接触に応じて回動する。前記送出部が前記第１記録媒体を送出する場合には、前記第１アクチュエーターの回動に応じて、前記フォトセンサーの光路を１回遮断又は１回開放する。前記送出部が前記第２記録媒体を送出する場合には、前記第１アクチュエーター及び前記第２アクチュエーターの回動に応じて、前記フォトセンサーの光路を２回遮断又は２回開放する。
【発明の効果】
【０００８】
本発明に係る記録媒体給送装置、及び画像形成装置によれば、フォトセンサーの個数を削減できる。
【図面の簡単な説明】
【０００９】
【図１】本発明の実施形態に係る画像形成装置の構成を示す側面図である。
【図２】本発明の実施形態に係る検出器の構成を示す側面図である。
【図３】検出器の構成を示す側面図である。
【図４】第１用紙を給送する際の検出器の動作を示す側面図である。
【図５】第１用紙を給送する際の検出器の動作を示す側面図である。
【図６】第２用紙を給送する際の検出器の動作を示す側面図である。（ａ）は、第１アクチュエーターと第３アクチュエーターとの動作を示す側面図である。（ｂ）は、第２アクチュエーターと第３アクチュエーターとの動作を示す側面図である。
【図７】第２用紙を給送する際の検出器の動作を示す側面図である。（ａ）は、第１アクチュエーターと第３アクチュエーターとの動作を示す側面図である。（ｂ）は、第２アクチュエーターと第３アクチュエーターとの動作を示す側面図である。
【図８】第２用紙を給送する際の検出器の動作を示す側面図である。（ａ）は、第１アクチュエーターと第３アクチュエーターとの動作を示す側面図である。（ｂ）は、第２アクチュエーターと第３アクチュエーターとの動作を示す側面図である。
【図９】第２用紙を給送する際の検出器の動作を示す側面図である。（ａ）は、第１アクチュエーターと第３アクチュエーターとの動作を示す側面図である。（ｂ）は、第２アクチュエーターと第３アクチュエーターとの動作を示す側面図である。
【図１０】第２用紙を給送する際の検出器の動作を示す側面図である。（ａ）は、第１アクチュエーターと第３アクチュエーターとの動作を示す側面図である。（ｂ）は、第２アクチュエーターと第３アクチュエーターとの動作を示す側面図である。
【図１１】フォトセンサーの出力を示す図である。（ａ）は、第１用紙を給送する際のフォトセンサーの出力を示す図である。（ｂ）は、第２用紙を給送する際のフォトセンサーの出力を示す図である。
【図１２】制御部の処理を示すフローチャートである。
【発明を実施するための形態】
【００１０】
以下、本発明の実施形態について、図面（図１〜図１２）を参照しながら説明する。なお、図中、同一又は相当部分については同一の参照符号を付して説明を繰り返さない。
【００１１】
まず、図１を参照して、本発明の実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４及び制御部５を備える。
【００１２】
画像形成ユニット１は、用紙Ｐに画像を形成する。画像読取ユニット２は、原稿Ｒに形成された画像を読み取り、読取画像を生成する。原稿搬送ユニット３は、原稿Ｒを画像読取ユニット２に搬送する。操作表示部４は、ユーザーからの操作を受け付ける。制御部５は、画像形成装置１００の動作を制御する。
【００１３】
また、画像形成ユニット１は、用紙給送部２００、搬送ローラー対１３、画像形成部１４、定着部１５、排出ローラー対１６及び排出トレイ１７を備える。用紙給送部２００は、送出部２０及び検出部６を備える。用紙給送部２００は、「記録媒体給送装置」の一例に相当する。送出部２０は、給送カセット１１とピックアップローラー１２とを有する。
【００１４】
給送カセット１１からピックアップローラー１２によって繰り出された用紙Ｐは、搬送ローラー対１３によって画像形成部１４まで搬送される。画像形成部１４は、用紙Ｐに画像を形成する。用紙Ｐは、「記録媒体」の一例に相当する。
【００１５】
画像が形成された用紙Ｐは、定着部１５まで搬送される。定着部１５は、用紙Ｐを加熱及び加圧し、用紙Ｐに形成された画像を用紙Ｐに定着する。画像が定着された用紙Ｐは、排出ローラー対１６によって排出トレイ１７へ排出される。
【００１６】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。
【００１７】
制御部５は、プロセッサー５１、及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００１８】
次に、図１及び図２を参照して、検出部６の構成について説明する。図２は、検出部６の構成を示す斜視図である。図２に示すように、検出部６は、第１アクチュエーター６１と、第２アクチュエーター６２と、第３アクチュエーター６３と、フォトセンサー６４とを備える。
【００１９】
また、給送カセット１１及びピックアップローラー１２は、互いにサイズＳの異なる複数の用紙Ｐを送出可能に構成される。複数の用紙Ｐは、第１サイズＳ１を有する第１用紙Ｐ１と、第１サイズＳ１よりも大きい第２サイズＳ２を有する第２用紙Ｐ２とを含む。第１サイズＳ１は、例えば、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１６で規定するＡ５サイズを示す。第２サイズＳ２は、ＩＳＯ２１６で規定するＡ４サイズを示す。第１用紙Ｐ１は、「第１記録媒体」の一例に相当する。第２用紙Ｐ２は、「第２記録媒体」の一例に相当する。
【００２０】
第１アクチュエーター６１は、第１用紙Ｐ１又は第２用紙Ｐ２の接触に応じて回動する。
【００２１】
第２アクチュエーター６２は、第２用紙Ｐ２の接触に応じて回動する。
【００２２】
フォトセンサー６４は、投光部６４１と受光部６４２とを有する。投光部６４１は、受光部６４２に向けて光を出射する。受光部６４２は、投光部６４１から出射された光を受光する。フォトセンサー６４は、受光部６４２が投光部６４１から出射された光を受光したか否かを示す信号を制御部５に出力する。
【００２３】
光路ＰＬは、投光部６４１から出射された光が受光部６４２に到達するまでの光の経路を示す。光路ＰＬが遮断された場合には、受光部６４２は、投光部６４１から出射された光を受光しない。光路ＰＬが開放された場合には、受光部６４２は、投光部６４１から出射された光を受光する。
【００２４】
ピックアップローラー１２が第１用紙Ｐ１を送出する場合には、第１アクチュエーター６１の回動に応じて、第３アクチュエーター６３が回動してフォトセンサー６４の光路ＰＬを１回遮断又は１回開放する。ピックアップローラー１２が第２用紙Ｐ２を送出する場合には、第１アクチュエーター６１及び第２アクチュエーター６２の回動に応じて、第３アクチュエーター６３が回動してフォトセンサー６４の光路ＰＬを２回遮断又は２回開放する。
【００２５】
以下、第１アクチュエーター６１、第２アクチュエーター６２及び第３アクチュエーター６３の具体的な構成について説明する。
【００２６】
第１アクチュエーター６１は、第１領域ＡＲ１の内側に配置される。第１領域ＡＲ１は、第１用紙Ｐ１が通過する領域を示す。第１アクチュエーター６１は、第１当接部材６１１、第１軸部材６１２及び第１押圧部材６１３を有する。
【００２７】
第１当接部材６１１は、第１領域ＡＲ１の内側に配置され、用紙Ｐ（第１用紙Ｐ１又は第２用紙Ｐ２）が方向Ｄ１に送出された時に、用紙Ｐに当接する。具体的には、第１当接部材６１１は、棒状に形成され、用紙Ｐが方向Ｄ１に送出されたときに、第１当接部材６１１の先端が用紙Ｐに当接する。
【００２８】
第１軸部材６１２は、例えば棒状に形成され、用紙Ｐの送出方向（方向Ｄ１）及び方向Ｄ３と直交する方向Ｄ２に延びる。方向Ｄ３は鉛直方向を示す。具体的には、方向Ｄ３は鉛直方向の上向きを示す。また、第１軸部材６１２は、第１軸部材６１２の方向Ｄ２に沿った中心軸を中心として回転自在に構成され、第１当接部材６１１の基端を支持する。第１軸部材６１２の方向Ｄ２の両端は、図略のフレームによって回転自在に支持される。
【００２９】
第１押圧部材６１３は、第１軸部材６１２の回動に応じて、第３アクチュエーター６３が回動するように第３アクチュエーター６３を押圧する。具体的には、第１押圧部材６１３は、例えば平板状に形成され、第１押圧部材６１３の基端は第１軸部材６１２に固定されている。第１押圧部材６１３の先端は、第１軸部材６１２の回転に応じて回動する。
【００３０】
第２アクチュエーター６２は、第１領域ＡＲ１の外側に配置され、且つ、第２領域ＡＲ２の内側に配置される。第２領域ＡＲ２は、第２用紙Ｐ２が通過する領域を示す。第２アクチュエーター６２は、第２当接部材６２１、第２軸部材６２２及び第２押圧部材６２３を有する。
【００３１】
第２当接部材６２１は、第１領域ＡＲ１の外側に配置され、且つ、第２領域ＡＲ２の内側に配置され、第２用紙Ｐ２が方向Ｄ１に送出された時に、第２用紙Ｐ２に当接する。具体的には、第２当接部材６２１は、棒状に形成され、第２用紙Ｐ２が方向Ｄ１に送出された時に、第２当接部材６２１の先端が第２用紙Ｐ２に当接する。一方、第１用紙Ｐ１が方向Ｄ１に送出された時には、第２当接部材６２１は、第１用紙Ｐ１に当接しない。
【００３２】
第２軸部材６２２は、例えば棒状に形成され、第２用紙Ｐ２の送出方向（方向Ｄ１）及び方向Ｄ３と直交する方向Ｄ２に延びる。また、第２軸部材６２２は、第２軸部材６２２の方向Ｄ２に沿った中心軸を中心として回転自在に構成され、第２当接部材６２１の基端を支持する。第２軸部材６２２の方向Ｄ２の両端は、図略のフレームによって回転自在に支持される。
【００３３】
第２押圧部材６２３は、第２軸部材６２２の回動に応じて、第３アクチュエーター６３が回動するように第３アクチュエーター６３を押圧する。具体的には、第２押圧部材６２３は、例えば平板状に形成され、第２押圧部材６２３の基端は第２軸部材６２２に固定されている。第２押圧部材６２３の先端は、第２軸部材６２２の回転に応じて回動する。
【００３４】
第３アクチュエーター６３は、第３押圧部材６３１、第３軸部材６３２及び遮光部材６３３を有する。
【００３５】
第３押圧部材６３１は、第１押圧部材６１３又は第２押圧部材６２３に押圧される。具体的には、第３押圧部材６３１は、第３押圧部材６３１Ａ及び第３押圧部材６３１Ｂを有する。第３押圧部材６３１Ａは、例えば平板状に形成され、第１押圧部材６１３に押圧される。第３押圧部材６３１Ｂは、例えば平板状に形成され、第２押圧部材６２３に押圧される。
【００３６】
第３軸部材６３２は、例えば棒状に形成され、用紙Ｐの送出方向（方向Ｄ１）及び方向Ｄ３と直交する方向Ｄ２に延びる。また、第３軸部材６３２は、第３軸部材６３２の方向Ｄ２に沿った中心軸を中心として回転自在に構成され、第３押圧部材６３１の基端を支持する。第３軸部材６３２の方向Ｄ２の両端は、図略のフレームによって回転自在に支持される。
【００３７】
遮光部材６３３は、第３軸部材６３２の回動に応じて回動し、フォトセンサー６４の光路ＰＬを遮断又は開放する。具体的には、遮光部材６３３は、平板状に形成され、遮光部材６３３の基端は第３軸部材６３２に固定されている。
【００３８】
以上、図１及び図２を参照して説明したように、本発明の実施形態では、第１用紙Ｐ１を送出する場合には、第１アクチュエーター６１の回動に応じて、第３アクチュエーター６３が回動してフォトセンサー６４の光路ＰＬを１回遮断又は１回開放する。第２用紙Ｐ２を送出する場合には、第１アクチュエーター６１及び第２アクチュエーター６２の回動に応じて、第３アクチュエーター６３が回動してフォトセンサー６４の光路ＰＬを２回遮断又は２回開放する。よって、１つのフォトセンサー６４で用紙Ｐの２つのサイズＳ（第１サイズＳ１及び第２サイズＳ２）を検出できる。したがって、フォトセンサー６４を配置する個数を削減できる。
【００３９】
また、第２アクチュエーター６２は、第１用紙Ｐ１が通過する第１領域ＡＲ１の外側に配置され、且つ、第２用紙Ｐ２が通過する第２領域ＡＲ２の内側に配置される。よって、第２用紙Ｐ２を送出する場合には、第２アクチュエーター６２が回動し、第１用紙Ｐ１を送出する場合には、第２アクチュエーター６２が回動しない。したがって、第１用紙Ｐ１を送出する場合には、フォトセンサー６４の光路ＰＬを１回遮断又は１回開放し、第２用紙Ｐ２を送出する場合には、フォトセンサー６４の光路ＰＬを２回遮断又は２回開放できる。
【００４０】
更に、第１当接部材６１１の先端が第１用紙Ｐ１又は第２用紙Ｐ２に当接すると、第１軸部材６１２が回動し、第１軸部材６１２の回動に応じて、第１押圧部材６１３が第３アクチュエーター６３を押圧する。また、第１押圧部材６１３が第３アクチュエーター６３を押圧すると第３アクチュエーター６３が、フォトセンサー６４の光路ＰＬを遮断又は開放する。したがって、簡素な構成で第１アクチュエーター６１を実現できる。
【００４１】
また、第２当接部材６２１の先端が第２用紙Ｐ２に当接すると、第２軸部材６２２が回動し、第２軸部材６２２の回動に応じて、第２押圧部材６２３が第３アクチュエーター６３を押圧する。また、第２押圧部材６２３が第３アクチュエーター６３を押圧すると第３アクチュエーター６３が、フォトセンサー６４の光路ＰＬを遮断又は開放する。したがって、簡素な構成で第２アクチュエーター６２を実現できる。
【００４２】
更に、第１押圧部材６１３によって第３押圧部材６３１が押圧され、第３軸部材６３２が回動する。そして、第３軸部材６３２の回動に応じて、遮光部材６３３がフォトセンサー６４の光路ＰＬを遮断又は開放する。したがって、簡素な構成で第３アクチュエーター６３を実現できる。
【００４３】
次に、図１〜図３を参照して、検出部６の構成について更に説明する。図３は、検出部６の構成を示す側面図である。また、図３では、用紙Ｐが送出されていない時の第１アクチュエーター６１、第２アクチュエーター６２及び第３アクチュエーター６３の姿勢を示す。
【００４４】
図３に示すように、第１アクチュエーター６１の第１軸部材６１２と、第２アクチュエーター６２の第２軸部材６２２とは、方向Ｄ１と方向Ｄ３とを含む平面内において同一の位置にある。すなわち、方向Ｄ２から見ると、第１軸部材６１２と第２軸部材６２２とは重なる。
【００４５】
また、第１アクチュエーター６１の第１押圧部材６１３と、第２アクチュエーター６２の第２押圧部材６２３とは、方向Ｄ１と方向Ｄ３とを含む平面内において同一の位置にある。よって、方向Ｄ２から見ると、図３では、第１押圧部材６１３と第２押圧部材６２３とは重なっている。
【００４６】
第１アクチュエーター６１の第１当接部材６１１は、方向Ｄ３に沿って配置される。また、角θ１は、第１当接部材６１１と第１押圧部材６１３とのなす角を示す。角θ１は、例えば８０度である。
【００４７】
第１アクチュエーター６１に外力が作用しない場合に、図３に示す位置に第１アクチュエーター６１を配置するために、第１アクチュエーター６１は、方向Ｄ４に付勢されている。方向Ｄ４は、第１軸部材６１２の中心とした時計回りの方向を示す。また、第１アクチュエーター６１が図３に示す位置から更に方向Ｄ４に回動しないようにストッパーが配置されている。ストッパーは、第１アクチュエーター６１の方向Ｄ４への回動を規制する。
【００４８】
第２アクチュエーター６２の第２当接部材６２１は、方向Ｄ３に対して角θ２１だけ、用紙Ｐの搬送方向（方向Ｄ１）に傾斜している。角θ２１は、例えば４５度である。また、角θ２２は、第２当接部材６２１と第２押圧部材６２３とのなす角を示す。角θ２２は、例えば３５度である。
【００４９】
第２アクチュエーター６２に外力が作用しない場合に、図３に示す位置に第２アクチュエーター６２を配置するために、第２アクチュエーター６２は、方向Ｄ４に付勢されている。また、第２アクチュエーター６２が図３に示す位置から更に方向Ｄ４に回動しないようにストッパーが配置されている。ストッパーは、第２アクチュエーター６２の方向Ｄ４への回動を規制する。
【００５０】
第１当接部材６１１の長手方向が方向Ｄ３に沿って配置され、第２当接部材６２１は、方向Ｄ３に対して角θ２１だけ、用紙Ｐの搬送方向（方向Ｄ１）に傾斜しているため、用紙Ｐが送出された時に、用紙Ｐは第２当接部材６２１よりも先に第１当接部材６１１に当接する。
【００５１】
また、角θ１は、角θ２２よりも大きいため、用紙Ｐが送出された時に、第１押圧部材６１３は、第２押圧部材６２３よりも先に第３アクチュエーター６３の第３押圧部材６３１を押圧する。
【００５２】
第３アクチュエーター６３の第３押圧部材６３１の長手方向は、方向Ｄ１に沿って配置される。角θ３は、第３押圧部材６３１と遮光部材６３３とのなす角を示す。角θ３は、例えば１２０度である。角θ３１は、鉛直方向（方向Ｄ３と平行な方向）と第３押圧部材６３１とのなす角を示す。角θ３１は、例えば９０度である。角θ３２は、鉛直方向と遮光部材６３３とのなす角を示す。角θ３２は、例えば３０度である。
【００５３】
第３押圧部材６３１には、重力によって方向Ｄ５のトルクＴＲ５が作用する。方向Ｄ５は、第３軸部材６３２を中心とした時計回りの方向を示す。また、遮光部材６３３には、重力によって方向Ｄ６のトルクＴＲ６が作用する。方向Ｄ６は第３軸部材６３２を中心とした反時計回りの方向を示す。第３押圧部材６３１の質量と、遮光部材６３３の質量とは、トルクＴＲ５の値とトルクＴＲ６の値とが一致するように決定されている。そのため、第３アクチュエーター６３に外力が作用しない場合には、第３アクチュエーター６３は、図３に示す位置に配置される。
【００５４】
すなわち、第１押圧部材６１３（又は、第２押圧部材６２３）によって第３押圧部材６３１が押圧されると、第３アクチュエーター６３が時計回りに回動する。そして、第３押圧部材６３１が押圧されない状態になると、方向Ｄ６のトルクの値が方向Ｄ５のトルクの値よりも大きくなる。そのため、遮光部材６３３は、フォトセンサー６４の光路ＰＬを遮断する位置に戻る。したがって、第２用紙Ｐ２を送出する場合に、フォトセンサー６４の光路ＰＬを２回開放できる。
【００５５】
また、遮光部材６３３は、フォトセンサー６４の光路ＰＬを遮断している。すなわち、本発明の実施形態では、第１用紙Ｐ１を送出する場合には、第１アクチュエーター６１の回動に応じて、第３アクチュエーター６３が回動してフォトセンサー６４の光路ＰＬを１回開放する。また、第２用紙Ｐ２を送出する場合には、第１アクチュエーター６１及び第２アクチュエーター６２の回動に応じて、第３アクチュエーター６３が回動してフォトセンサー６４の光路ＰＬを２回開放する。
【００５６】
なお、本発明の実施形態では、トルクＴＲ５の値とトルクＴＲ６の値とが一致するように第３押圧部材６３１の質量と遮光部材６３３の質量とが決定されているが、本発明はこれに限定されない。遮光部材６３３が光路ＰＬを開放する位置から遮光部材６３３が光路ＰＬを遮断する位置（図３に示す位置）に向けて遮光部材６３３を付勢する付勢部材を備えてもよい。この場合には、第３押圧部材６３１の質量と遮光部材６３３の質量とは制限されないため、設計の自由度を増大できる。また、この場合には、付勢部材の付勢力を、第３押圧部材６３１の質量と遮光部材６３３の質量とに基づき決定すればよい。
【００５７】
この場合には、第１押圧部材６１３（又は、第２押圧部材６２３）によって第３押圧部材６３１が押圧されると、第３アクチュエーター６３が時計回りに回動する。そして、第３押圧部材６３１が押圧されない状態になると、遮光部材６３３は、付勢部材によって付勢されて、フォトセンサー６４の光路ＰＬを遮断する位置に戻る。したがって、第２用紙Ｐ２を送出する場合に、フォトセンサー６４の光路ＰＬを２回開放できる。
【００５８】
次に、図２〜図５を参照して、第１用紙Ｐ１を給送する際の検出部６の動作について説明する。図４は、第１用紙Ｐ１を給送する際の検出部６の動作を示す側面図である。
【００５９】
図４に示すように、第１用紙Ｐ１がピックアップローラー１２によって送出されると、第１用紙Ｐ１の送出方向（方向Ｄ１）の先端ＰＴ１が第１当接部材６１１に当接する。そして、第１当接部材６１１が、第１軸部材６１２を中心に反時計回りに角Ｄ３１だけ回動する。これに伴い、第１押圧部材６１３が、第１軸部材６１２を中心に反時計回りに角Ｄ４１だけ回動する。角Ｄ４１の値は、角Ｄ３１の値と一致する。
【００６０】
そして、第１押圧部材６１３が第３押圧部材６３１を押圧し、第３押圧部材６３１が、第３軸部材６３２を中心に角Ｄ５１だけ時計回りに回動する。これに伴い、遮光部材６３３が、第３軸部材６３２を中心に角Ｄ６１だけ時計回りに回動する。角Ｄ６１の値は、角Ｄ５１の値と一致する。そして、遮光部材６３３は、フォトセンサー６４の光路ＰＬを開放する。
【００６１】
図５は、第１用紙Ｐ１を給送する際の検出部６の動作を示す側面図である。図５では、図４に示す第１用紙Ｐ１の位置と比較して、第１用紙Ｐ１が更に方向Ｄ１に送出される点で図４と相違している。
【００６２】
図５に示すように、第１用紙Ｐ１がピックアップローラー１２によって更に送出されると、第１当接部材６１１が、第２軸部材６２２を中心に反時計回りに更に角Ｄ３２だけ回動する。これに伴い、第１押圧部材６１３が、第２軸部材６２２を中心に反時計回りに角Ｄ４２だけ更に回動する。角４２の値は、角Ｄ３２の値と一致する。
【００６３】
そして、第１押圧部材６１３の先端が第３押圧部材６３１の先端から離間し、第１押圧部材６１３が第３押圧部材６３１を押圧しなくなる。そのため、第３アクチュエーター６３は、図３に示す初期状態に戻る。すなわち、第３押圧部材６３１が、第３軸部材６３２を中心に角Ｄ５２だけ反時計回りに回動し、遮光部材６３３が、第３軸部材６３２を中心に角Ｄ６２だけ反時計回りに回動する。角Ｄ６２の値は、角Ｄ５２の値と一致する。そして、遮光部材６３３は、フォトセンサー６４の光路ＰＬを遮断する。
【００６４】
以上、図２〜図５を参照して説明したように、本発明の実施形態では、第１用紙Ｐ１を給送する際には、第１アクチュエーター６１の回動に応じて、第３アクチュエーター６３が回動してフォトセンサー６４の光路ＰＬを１回開放する。
【００６５】
次に、図２、図３及び図６〜図１０を参照して、第２用紙Ｐ２を給送する際の検出部６の動作について説明する。図６は、第２用紙Ｐ２を給送する際の検出部６の動作を示す側面図である。図６（ａ）は、第１アクチュエーター６１と第３アクチュエーター６３との動作を示す側面図である。図６（ｂ）は、第２アクチュエーター６２と第３アクチュエーター６３との動作を示す側面図である。
【００６６】
図６（ａ）に示すように、第２用紙Ｐ２がピックアップローラー１２によって送出されると、第２用紙Ｐ２の送出方向（方向Ｄ１）の先端ＰＴ２が第１当接部材６１１に当接する。一方、図６（ｂ）に示すように、第２用紙Ｐ２の送出方向（方向Ｄ１）の先端ＰＴ２は第２当接部材６２１には当接していない。すなわち、第１アクチュエーター６１が回動を開始するタイミングでは、第２アクチュエーター６２は回動を開始しない。
【００６７】
図７は、第２用紙Ｐ２を給送する際の検出部６の動作を示す側面図である。図７では、図６に示す第２用紙Ｐ２の位置と比較して、第２用紙Ｐ２が更に方向Ｄ１に送出される点で図６と相違している。図７（ａ）は、第１アクチュエーター６１と第３アクチュエーター６３との動作を示す側面図である。図７（ｂ）は、第２アクチュエーター６２と第３アクチュエーター６３との動作を示す側面図である。
【００６８】
図７（ａ）に示すように、第２用紙Ｐ２がピックアップローラー１２によって更に送出されると、先端ＰＴ２が第１当接部材６１１に当接し続け、第１当接部材６１１が、第１軸部材６１２を中心に反時計回りに角Ｄ３３だけ更に回動する。これに伴い、第１押圧部材６１３が、第１軸部材６１２を中心に反時計回りに角Ｄ４３だけ更に回動する。角Ｄ４３の値は、角Ｄ３３の値と一致する。
【００６９】
そして、第１押圧部材６１３が第３押圧部材６３１を押圧し、第３押圧部材６３１が、第３軸部材６３２を中心に時計回りに角Ｄ５３だけ回動する。これに伴い、遮光部材６３３が、第３軸部材６３２を中心に時計回りに角Ｄ６３だけ回動する。角Ｄ６３の値は、角Ｄ５３の値と一致する。そして、遮光部材６３３は、フォトセンサー６４の光路ＰＬを開放する。
【００７０】
一方、図７（ｂ）に示すように、第２当接部材６２１には、第２用紙Ｐ２の送出方向（方向Ｄ１）の先端ＰＴ２が当接しないため、第２当接部材６２１は回動しない。したがって、第３アクチュエーター６３は、第２アクチュエーター６２の動作の影響を受けない。
【００７１】
図８は、第２用紙Ｐ２を給送する際の検出部６の動作を示す側面図である。図８では、図７に示す第２用紙Ｐ２の位置と比較して、第２用紙Ｐ２が更に方向Ｄ１に送出される点で図７と相違している。図８（ａ）は、第１アクチュエーター６１と第３アクチュエーター６３との動作を示す側面図である。図８（ｂ）は、第２アクチュエーター６２と第３アクチュエーター６３との動作を示す側面図である。
【００７２】
図８（ａ）に示すように、第２用紙Ｐ２がピックアップローラー１２によって更に送出されると、先端ＰＴ２が第１当接部材６１１に当接し続け、第１当接部材６１１が、第１軸部材６１２を中心に反時計回りに角Ｄ３４だけ更に回動する。これに伴い、第１押圧部材６１３が、第１軸部材６１２を中心に反時計回りに角Ｄ４４だけ更に回動する。角Ｄ４４の値は、角Ｄ３４の値と一致する。
【００７３】
そして、第１押圧部材６１３が第３押圧部材６３１から離間し、第１押圧部材６１３が第３押圧部材６３１を押圧しなくなる。そして、第３押圧部材６３１が、第３軸部材６３２を中心に反時計回りに角Ｄ５４だけ回動する。これに伴い、遮光部材６３３が、第３軸部材６３２を中心に反時計回りに角Ｄ６４だけ回動する。角Ｄ６４の値は、角Ｄ５４の値と一致する。また、角Ｄ５４の値は、角Ｄ５３（図７（ａ）参照）の値と一致する。そして、遮光部材６３３は、フォトセンサー６４の光路ＰＬを遮光する。
【００７４】
一方、図８（ｂ）に示すように、第２当接部材６２１にも先端ＰＴ２が当接し、第２当接部材６２１が、第２軸部材６２２を中心に反時計回りに角Ｄ７４だけ回動する。これに伴い、第２押圧部材６２３が、第２軸部材６２２を中心に反時計回りに角Ｄ８４だけ回動する。角Ｄ８４の値は、角Ｄ７４の値と一致する。
【００７５】
第２押圧部材６２３が反時計回りに角Ｄ８４だけ回動するが、第２押圧部材６２３の先端は、反時計回りに角Ｄ５４だけ回動した第３押圧部材６３１に接触している状態であり、第３押圧部材６３１を押圧しない。したがって、第３アクチュエーター６３は、第２アクチュエーター６２の動作の影響を受けない。
【００７６】
図９は、第２用紙Ｐ２を給送する際の検出部６の動作を示す側面図である。図９では、図８に示す第２用紙Ｐ２の位置と比較して、第２用紙Ｐ２が更に方向Ｄ１に送出される点で図８と相違している。図９（ａ）は、第１アクチュエーター６１と第３アクチュエーター６３との動作を示す側面図である。図９（ｂ）は、第２アクチュエーター６２と第３アクチュエーター６３との動作を示す側面図である。
【００７７】
図９（ａ）に示すように、第２用紙Ｐ２がピックアップローラー１２によって更に送出されると、先端ＰＴ２が第１当接部材６１１に当接し続け、第１当接部材６１１が、第１軸部材６１２を中心に反時計回りに角Ｄ３５だけ更に回動する。これに伴い、第１押圧部材６１３が、第１軸部材６１２を中心に反時計回りに更に角Ｄ４５だけ更に回動する。角Ｄ４５の値は、角Ｄ３５の値と一致する。
【００７８】
また、第１押圧部材６１３は、第３押圧部材６３１から離間しているため、第１押圧部材６１３は第３押圧部材６３１を押圧しない。したがって、第３アクチュエーター６３は、第１アクチュエーター６１の動作の影響を受けない。
【００７９】
一方、図９（ｂ）に示すように、第２用紙Ｐ２がピックアップローラー１２によって更に送出されると、第２当接部材６２１にも先端ＰＴ２が当接し、第２当接部材６２１が、第２軸部材６２２を中心に反時計回りに更に角Ｄ７５だけ回動する。これに伴い、第２押圧部材６２３が、第２軸部材６２２を中心に反時計回りに更に角Ｄ８５だけ回動する。角Ｄ８５の値は、角Ｄ７５の値と一致する。
【００８０】
そして、第２押圧部材６２３が第３押圧部材６３１を押圧し、第３押圧部材６３１が、第３軸部材６３２を中心に時計回りに角Ｄ５５だけ回動する。これに伴い、遮光部材６３３が、第３軸部材６３２を中心に時計回りに角Ｄ６５だけ回動する。角Ｄ６６の値は、角Ｄ５６の値と一致する。そして、遮光部材６３３は、フォトセンサー６４の光路ＰＬを開放する。
【００８１】
図１０は、第２用紙Ｐ２を給送する際の検出部６の動作を示す側面図である。図１０では、図９に示す第２用紙Ｐ２の位置と比較して、第２用紙Ｐ２が更に方向Ｄ１に送出される点で図９と相違している。図１０（ａ）は、第１アクチュエーター６１と第３アクチュエーター６３との動作を示す側面図である。図１０（ｂ）は、第２アクチュエーター６２と第３アクチュエーター６３との動作を示す側面図である。
【００８２】
図１０（ａ）に示すように、第２用紙Ｐ２がピックアップローラー１２によって更に送出されると、先端ＰＴ２が第１当接部材６１１に当接し続け、第１当接部材６１１が、第１軸部材６１２を中心に反時計回りに角Ｄ３６だけ更に回動する。これに伴い、第１押圧部材６１３が、第１軸部材６１２を中心に反時計回りに更に角Ｄ４６だけ更に回動する。角Ｄ４６の値は、角Ｄ３６の値と一致する。
【００８３】
また、第１押圧部材６１３は第３押圧部材６３１から離間しているため、第１押圧部材６１３は第３押圧部材６３１を押圧しない。したがって、第３アクチュエーター６３は、第１アクチュエーター６１の動作の影響を受けない。
【００８４】
一方、図１０（ｂ）に示すように、第２用紙Ｐ２がピックアップローラー１２によって更に送出されると、第２当接部材６２１にも先端ＰＴ２が当接し、第２当接部材６２１が、第２軸部材６２２を中心に反時計回りに更に角Ｄ７６だけ回動する。これに伴い、第２押圧部材６２３が、第２軸部材６２２を中心に反時計回りに更に角Ｄ８６だけ回動する。角Ｄ８６の値は、角Ｄ７６の値と一致する。
【００８５】
そして、第２押圧部材６２３が第３押圧部材６３１から離間し、第２押圧部材６２３が第３押圧部材６３１を押圧しなくなる。そのため、第３押圧部材６３１が、第３軸部材６３２を中心に反時計回りに角Ｄ５６だけ回動する。これに伴い、遮光部材６３３が、第３軸部材６３２を中心に反時計回りに角Ｄ６６だけ回動する。角Ｄ６６の値は、角Ｄ５６の値と一致する。また、角Ｄ５６の値は、角Ｄ５５（図９（ｂ）参照）の値とも略一致する。そして、遮光部材６３３は、フォトセンサー６４の光路ＰＬを遮光する。
【００８６】
以上、図２、図３及び図６〜図１０を参照して説明したように、本発明の実施形態では、第２用紙Ｐ２を給送する際には、第１アクチュエーター６１及び第２アクチュエーター６２の回動に応じて、第３アクチュエーター６３が回動してフォトセンサー６４の光路ＰＬを２回開放する。
【００８７】
次に、図２〜図１１を参照して、フォトセンサー６４の出力について説明する。図１１は、フォトセンサー６４の出力を示す図である。図１１（ａ）は、第１用紙Ｐ１を給送する際のフォトセンサー６４の出力を示す図である。図１１（ｂ）は、第２用紙Ｐ２を給送する際のフォトセンサー６４の出力を示す図である。
【００８８】
図１１（ａ）の横軸、及び図１１（ｂ）の横軸は、時間Ｔを示す。図１１（ａ）の縦軸、及び図１１（ｂ）の縦軸は、フォトセンサー６４の出力信号の「ＯＮ」及び「ＯＦＦ」を示す。「ＯＦＦ」は、光路ＰＬが遮断されていることを示す。「ＯＮ」は、光路ＰＬが開放されていることを示す。
【００８９】
図１１（ａ）に示すように、第１用紙Ｐ１を給送する際には、時点Ｔ１において、フォトセンサー６４が「ＯＦＦ」から「ＯＮ」に変化する。そして、時点Ｔ２において、フォトセンサー６４が「ＯＮ」から「ＯＦＦ」に変化する。また、第１期間ＰＨ１は、第１アクチュエーター６１の回動に応じて、第３アクチュエーター６３が光路ＰＬを開放する期間を示す。第１期間ＰＨ１は、時点Ｔ１と時点Ｔ２との間の期間である。
【００９０】
図１１（ｂ）に示すように、第２用紙Ｐ２を給送する際には、時点Ｔ１において、フォトセンサー６４が「ＯＦＦ」から「ＯＮ」に変化する。そして、時点Ｔ２において、フォトセンサー６４が「ＯＮ」から「ＯＦＦ」に変化する。
【００９１】
更に、時点Ｔ３において、フォトセンサー６４が「ＯＦＦ」から「ＯＮ」に変化する。そして、時点Ｔ４において、フォトセンサー６４が「ＯＮ」から「ＯＦＦ」に変化する。また、第２期間ＰＨ２は、第２アクチュエーター６２の回動に応じて、第３アクチュエーター６３が光路ＰＬを開放する期間を示す。第２期間ＰＨ２は、時点Ｔ３と時点Ｔ４との間の期間である。第１期間ＰＨ１と第２期間ＰＨ２との間には、第３期間ＰＨ３の間隔がある。第３期間ＰＨ３は、「所定期間以上の間隔」に相当する。
【００９２】
以上、図２〜図１１を参照して説明したように、本発明の実施形態では、第１期間ＰＨ１と第２期間ＰＨ２との間には、第３期間ＰＨ３の間隔がある。したがって、第３アクチュエーター６３がフォトセンサー６４の光路ＰＬを２回開放する構成を実現できる。
【００９３】
次に、図１〜図１２を参照して、制御部５の処理について説明する。図１２は、制御部５の処理を示すフローチャートである。
図１２に示すように、ステップＳ１０１において、制御部５は、用紙ＰのサイズＳを受け付ける。
次に、ステップＳ１０３において、制御部５は、用紙Ｐの給送を開始する。
次に、ステップＳ１０５において、制御部５は、パルス数Ｎを検出する。具体的には、制御部５は、フォトセンサー６４の出力信号に基づいて、パルス数Ｎを検出する。パルス数Ｎは、フォトセンサー６４が「ＯＮ」になる回数を示す。
次に、ステップＳ１０７において、制御部５は、パルス数Ｎが２個であるか否かを判定する。
パルス数Ｎが２個ではないと制御部５が判定した場合（ステップＳ１０７でＮＯ）には、処理がステップＳ１１５に進む。パルス数Ｎが２個であると制御部５が判定した場合（ステップＳ１０７でＹＥＳ）には、処理がステップＳ１０９に進む。
【００９４】
そして、ステップＳ１０９において、制御部５は、送出された用紙Ｐは第２用紙Ｐ２であると判定する。
次に、ステップＳ１１１において、制御部５は、ステップＳ１０１で受け付けた用紙ＰのサイズＳが第２サイズＳ２であるか否かを判定する。
サイズＳが第２サイズＳ２ではないと判定した場合（ステップＳ１１１でＮＯ）には、処理がステップＳ１１９に進む。サイズＳが第２サイズＳ２であると判定した場合（ステップＳ１１１でＹＥＳ）には、処理がステップＳ１１３に進む。
そして、ステップＳ１１３において、制御部５は、用紙Ｐに画像を形成して、処理がステップＳ１０３に戻る。
【００９５】
ステップＳ１０７でＮＯの場合には、ステップＳ１１５において、制御部５は、送出された用紙Ｐは第１用紙Ｐ１であると判定する。
そして、ステップＳ１１７において、制御部５は、ステップＳ１０１で受け付けた用紙ＰのサイズＳが第１サイズＳ１であるか否かを判定する。
サイズＳが第１サイズＳ１であると判定した場合（ステップＳ１１１でＹＥＳ）には、処理がステップＳ１１３に進む。サイズＳが第１サイズＳ１ではないと判定した場合（ステップＳ１１７でＮＯ）には、処理がステップＳ１１９に進む。
そして、ステップＳ１１９において、制御部５は、用紙Ｐの搬送を停止する。
次に、ステップＳ１２１において、制御部５は、タッチパネル４１にエラーが発生したことを表示して、処理が終了する。
【００９６】
以上、図１〜図１２を参照して説明したように、本発明の実施形態では、パルス数Ｎが１個である場合（＝フォトセンサー６４の光路ＰＬが１回開放された場合）に、用紙ＰのサイズＳを第１サイズＳ１であると判定する。また、パルス数Ｎが２個である場合（＝フォトセンサー６４の光路ＰＬが２回開放された場合）に、用紙ＰのサイズＳを第２サイズＳ２であると判定する。したがって、簡素な構成で用紙ＰのサイズＳを判定できる。
【００９７】
また、制御部５が検出した用紙ＰのサイズＳが、制御部５が受け付けた用紙ＰのサイズＳと一致しない場合に、用紙Ｐの搬送を停止する。したがって、ユーザーが所望しないサイズＳの用紙Ｐに画像が形成されることを抑制できる。
【００９８】
なお、本発明の実施形態では、制御部５が検出した用紙ＰのサイズＳが、制御部５が受け付けた用紙ＰのサイズＳと一致しない場合に、用紙Ｐの搬送を停止するが、本発明はこれに限定されない。制御部５が検出した用紙ＰのサイズＳが、制御部５が受け付けた用紙ＰのサイズＳと一致しない場合に、画像を形成せずに用紙Ｐを排出してもよい。
【００９９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１００】
（１）図１を参照して説明したように、画像形成装置１００は複合機であるが、本発明はこれに限定されない。画像形成装置１００は画像形成部１４を備えればよい。例えば、画像形成装置が、カラープリンターである形態でもよい。また、例えば、画像形成装置が、モノクロ複写機である形態でもよい。
【０１０１】
（２）図１を参照して説明したように、検出部６が給送カセット１１に配置されるが、本発明はこれに限定されない。検出部６が送出部２０に対して用紙Ｐの搬送方向の下流側に配置されればよい。例えば、検出部６が、原稿搬送ユニット３において原稿Ｒを給送するトレイに配置されてもよい。また、例えば、検出部６が手差しトレイに配置されてもよい。
【０１０２】
（３）図２を参照して説明したように、複数の用紙Ｐが、第１用紙Ｐ１と第２用紙Ｐ２とであるが、本発明はこれに限定されない。複数の用紙Ｐが、第１用紙Ｐ１と第２用紙Ｐ２とを含めばよい。複数の用紙Ｐが、更に第２サイズＳ２より大きい第３サイズＳ３の第３用紙Ｐ３を含んでもよい。
【０１０３】
この場合には、第１アクチュエーター６１、第２アクチュエーター６２、第３アクチュエーター６３に加えて、第４アクチュエーターを備えることが好ましい。また、第４アクチュエーターは、第２用紙Ｐ２（及び第１用紙Ｐ１）が通過する領域の外側に配置され、且つ、第３用紙Ｐ３が通過する領域の内側に配置され、第３用紙Ｐ３の接触に応じて回動することが好ましい。
【０１０４】
このように、第４アクチュエーターを配置すると、第３用紙Ｐ３を送出する場合には、第１アクチュエーター６１、第２アクチュエーター６２及び第４アクチュエーターの回動に応じて、第３アクチュエーター６３が回動してフォトセンサー６４の光路ＰＬを３回開放する。このようにして、第１用紙Ｐ１、第２用紙Ｐ２及び第３用紙Ｐ３の別を検出できる。
【０１０５】
（４）図２を参照して説明したように、フォトセンサー６４が透過型のフォトセンサーであるが、本発明はこれに限定されない。フォトセンサーが反射型のフォトセンサーでもよい。例えば、反射型のフォトセンサーを投光部６４１の位置に配置すればよい。反射型のフォトセンサーをこのように配置すれば、第１用紙Ｐ１を送出する場合には、フォトセンサーの光路ＰＬを１回遮断し、第２用紙Ｐ２を送出する場合には、フォトセンサーの光路ＰＬを２回遮断できる。
【産業上の利用可能性】
【０１０６】
本発明は、記録媒体給送装置、及び画像形成装置に関するものであり、産業上の利用可能性を有する。
【符号の説明】
【０１０７】
１００    画像形成装置
１    画像形成ユニット
２００    用紙給送部（記録媒体給送装置）
２０    送出部
１１    給送カセット
１２    ピックアップローラー
６    検出部
６１    第１アクチュエーター
６１１    第１当接部材
６１２    第１軸部材
６１３    第１押圧部材
６２    第２アクチュエーター
６２１    第２当接部材
６２２    第２軸部材
６２３    第２押圧部材
６３    第３アクチュエーター
６３１    第３押圧部材
６３２    第３軸部材
６３３    遮光部材
６４    フォトセンサー
６４１    投光部
６４２    受光部
１４    画像形成部
４    操作表示部
４１    タッチパネル
５    制御部
５１    プロセッサー
５２    記憶部
ＰＬ    光路
Ｐ    用紙
Ｐ１    第１用紙（第１記録媒体）
Ｐ２    第２用紙（第２記録媒体）
Ｓ１    第１サイズ
Ｓ２    第２サイズ
【図１】
2019038685.tif 000003
【図２】
2019038685.tif 000004
【図３】
2019038685.tif 000005
【図４】
2019038685.tif 000006
【図５】
2019038685.tif 000007
【図６】
2019038685.tif 000008
【図７】
2019038685.tif 000009
【図８】
2019038685.tif 000010
【図９】
2019038685.tif 000011
【図１０】
2019038685.tif 000012
【図１１】
2019038685.tif 000013
【図１２】
2019038685.tif 000014